【手続補正書】
【提出日】平成26年9月9日(2014.9.9)
【手続補正１】
【補正対象書類名】特許請求の範囲
【補正対象項目名】全文
【補正方法】変更
【補正の内容】
【特許請求の範囲】
【請求項１】
ビデオシーケンスにおけるピクチャの刈り込まれたバージョンを回復するための装置であって、
前記ピクチャの前記刈り込まれたバージョン内の１または複数の刈り込まれたブロックを識別するための刈り込みブロック識別子と、
前記ピクチャの前記刈り込まれたバージョンを回復するメタデータを復号化するためのメタデータ復号器であって、前記メタデータは、前記１または複数の置換ブロックの位置情報を含む、メタデータ復号器と、
前記１または複数の刈り込まれたブロックに対して１または複数の置換ブロックをそれぞれ生成するためのブロック復元器と、
を備える、前記装置。
【請求項２】
前記ピクチャの前記刈り込まれたバージョンは、前記ピクチャの前記元バージョンを複数のブロックに分割し、前記１または複数の刈り込まれたブロックを前記１または複数の置換ブロックにそれぞれ置き換えることによって生成され、前記１または複数の刈り込まれたブロックのうちの少なくとも所定の１つにおけるすべてのピクセルは、同じ色値または低い解像度のうちの１つを有し、前記低い解像度は、前記１または複数の置換ブロックに関して判定される、請求項２に記載の装置。
【請求項３】
前記同じ色値は、前記複数のブロックのうちの前記少なくとも１つ内の前記ピクセルの色値の平均と等しい、請求項２に記載の装置。
【請求項４】
前記ピクチャの前記刈り込まれたバージョンは、混合解像度ピクチャである、請求項２に記載の装置。
【請求項５】
前記１または複数の刈り込まれたブロックは、前記１または複数の置換ブロックのそれぞれよりも少ない、指定された周波数以上の情報を備える、請求項２に記載の装置。
【請求項６】
前記位置情報は、前記１または複数の置換ブロックの座標情報を備える、請求項１に記載の装置。
【請求項７】
前記刈り込みブロック識別子は、前記ピクチャの前記刈り込まれたバージョン内の前記１または複数の刈り込まれたブロックを識別する識別プロセスを実行し、前記１または複数の刈り込まれたブロックのうちの所定の１つは、指定された周波数よりも大きい前記１または複数の刈り込まれたブロックのうちの前記所定の１つの単一コンポーネントのエネルギー量に基づいて、前記識別プロセスによって識別される、請求項１に記載の装置。
【請求項８】
前記メタデータは、前記識別プロセスに関する誤検出ブロックおよび欠損ブロックの位置情報も含む、請求項７に記載の装置。
【請求項９】
前記メタデータが前記ピクチャの前記刈り込まれたバージョンを回復する際の使用から省略されたとき、修復及びテクスチャ合成のうちの少なくとも１を使用して、前記ピクチャの前記刈り込まれたバージョンを回復する、請求項１に記載の装置。
【請求項１０】
ビデオシーケンスにおけるピクチャの刈り込まれたバージョンを回復するための方法であって、
前記ピクチャの前記刈り込まれたバージョン内の１または複数の刈り込まれたブロックを識別するステップと、
復号器を使用して、前記ピクチャの前記刈り込まれたバージョンを回復するメタデータを復号化するステップであって、前記メタデータは、前記１または複数の置換ブロックの位置情報を含む、ステップと、
前記１または複数の刈り込まれたブロックに対して１または複数の置換ブロックをそれぞれ生成するステップと、
を備える、前記方法。
【請求項１１】
前記ピクチャの前記刈り込まれたバージョンは、前記ピクチャの前記元バージョンを複数のブロックに分割し、前記１または複数の刈り込まれたブロックを前記１または複数の置換ブロックにそれぞれ置き換えることよって生成され、前記１または複数の刈り込まれたブロックのうちの少なくとも所定の１つ内のすべてのピクセルは、同じ色値または低い解像度のうちの１つを有し、前記低い解像度は、前記１または複数の置換ブロックに関して判定される、請求項１０に記載の方法。
【請求項１２】
前記同じ色値は、前記複数のブロックのうちの前記少なくとも１つ内の前記ピクセルの色値の平均と等しい、請求項１１に記載の方法。
【請求項１３】
前記ピクチャの前記刈り込まれたバージョンは、混合解像度ピクチャである、請求項１１に記載の方法。
【請求項１４】
前記１または複数の刈り込まれたブロックは、前記１または複数の置換ブロックのそれぞれよりも少ない、指定された周波数以上の情報を備える、請求項１１に記載の方法。
【請求項１５】
前記位置情報は、前記１または複数の置換ブロックの座標情報を備える、請求項１０に記載の方法。
【請求項１６】
前記識別するステップは、前記ピクチャの前記刈り込まれたバージョン内の前記１または複数の刈り込まれたブロックを識別する識別プロセスを実行し、前記１または複数の刈り込まれたブロックのうちの所定の１つは、指定された周波数よりも大きい前記１または複数の刈り込まれたブロックのうちの前記所定の１つの単一コンポーネントのエネルギー量に基づいて、前記識別プロセスによって識別される、請求項１０に記載の方法。
【請求項１７】
前記メタデータは、前記識別プロセスに関する誤検出ブロックおよび欠損ブロックの位置情報も含む、請求項１６に記載の方法。
【請求項１８】
前記メタデータが前記ピクチャの前記刈り込まれたバージョンを回復する際の使用から省略された場合、修復及びテクスチャ合成のうちの少なくとも１を使用して、前記ピクチャの前記刈り込まれたバージョンを回復することを特徴とする請求項１０に記載の方法。
【請求項１９】
ビデオシーケンスにおけるピクチャの刈り込まれたバージョンを回復するための装置であって、
前記ピクチャの前記刈り込まれたバージョン内の１または複数の刈り込まれたブロックを識別するための手段と、
前記ピクチャの前記刈り込まれたバージョンを回復するメタデータを復号化するための手段であって、前記メタデータは、前記１または複数の置換ブロックの位置情報を含む、手段と、
前記１または複数の刈り込まれたブロックに対して１または複数の置換ブロックをそれぞれ生成するための手段と、
を備える、前記装置。
【請求項２０】
前記ピクチャの前記刈り込まれたバージョンは、前記ピクチャの前記元バージョンを複数のブロックに分割し、前記１または複数の刈り込まれたブロックを前記１または複数の置換ブロックにそれぞれ置き換えることによって生成され、前記１または複数の刈り込まれたブロックのうちの少なくとも所定の１つにおけるすべてのピクセルは、同じ色値または低い解像度のうちの１つを有し、前記低い解像度は、前記１または複数の置換ブロックに関して判定される、請求項１９に記載の装置。
【請求項２１】
前記同じ色値は、前記複数のブロックのうちの前記少なくとも１つ内の前記ピクセルの色値の平均と等しい、請求項２０に記載の装置。
【請求項２２】
前記ピクチャの前記刈り込まれたバージョンは、混合解像度ピクチャである、請求項２０に記載の装置。
【請求項２３】
前記１または複数の刈り込まれたブロックは、前記１または複数の置換ブロックのそれぞれよりも少ない、指定された周波数以上の情報を備える、請求項２０に記載の装置。
【請求項２４】
前記位置情報は、前記１または複数の置換ブロックの座標情報を備える、請求項１９に記載の装置。
【請求項２５】
前記識別するための手段は、前記ピクチャの前記刈り込まれたバージョン内の前記１または複数の刈り込まれたブロックを識別する識別プロセスを実行し、前記１または複数の刈り込まれたブロックのうちの所定の１つは、指定された周波数よりも大きい前記１または複数の刈り込まれたブロックのうちの前記所定の１つの単一コンポーネントのエネルギー量に基づいて、前記識別プロセスによって識別される、請求項１９に記載の装置。
【請求項２６】
前記メタデータは、前記識別プロセスに関する誤検出ブロックおよび欠損ブロックの位置情報も含む、請求項２５に記載の装置。
【請求項２７】
前記メタデータが前記ピクチャの前記刈り込まれたバージョンを回復する際の使用から省略された場合、修復及びテクスチャ合成のうちの少なくとも１を使用して、前記ピクチャの前記刈り込まれたバージョンを回復する、請求項１９に記載の装置。
【手続補正２】
【補正対象書類名】明細書
【補正対象項目名】００６９
【補正方法】変更
【補正の内容】
【００６９】
例示的な実施形態は、添付図面を参照して本明細書で説明されているが、本発明の原理は、そのような詳細な実施形態に限定されず、本発明の原理の範囲または精神から逸脱せずに当業者によってさまざまな変更および改良がそれらの実施形態に行われてよいことを理解されたい。そのようなすべての変更および改良は、添付の特許請求の範囲に記載されるように本発明の原理の範囲内に含まれることを意図する。  
［付記１］
ピクチャの刈り込まれたバージョンをビデオシーケンスによって回復するための装置であって、
前記ピクチャの前記刈り込まれたバージョン内の１または複数の刈り込まれたブロックを識別するための刈り込みブロック識別子（６１０）と、
前記ピクチャの前記刈り込まれたバージョンを回復するメタデータを復号化するためのメタデータ復号器（６１５）であって、前記メタデータは、前記１または複数の置換ブロックの位置情報を含む、メタデータ復号器と、
前記１または複数の刈り込まれたブロックに対して１または複数の置換ブロックをそれぞれ生成するためのブロック復元器（６２０）と
を備える、装置。
［付記２］
前記ピクチャの前記刈り込まれたバージョンは、前記ピクチャの前記元バージョンを複数のブロックに分割し、前記１または複数の刈り込まれたブロックを前記１または複数の置換ブロックにそれぞれ置き換えることによって生成され、前記１または複数の刈り込まれたブロックのうちの少なくとも所定の１つにおけるすべてのピクセルは、同じ色値または低い解像度の色値のうちの１つを有し、前記低い解像度の色値は、前記１または複数の置換ブロックに関して判定される、付記２に記載の装置。
［付記３］
前記同じ色値は、前記複数のブロックのうちの前記少なくとも１つ内の前記ピクセルの色の平均値と等しい、付記２に記載の装置。
［付記４］
前記ピクチャの前記刈り込まれたバージョンは、混合解像度ピクチャである、付記２に記載の装置。
［付記５］
前記１または複数の刈り込まれたブロックは、前記１または複数の置換ブロックのそれぞれよりも、指定された周波数以上の少ない情報を備える、付記２に記載の装置。
［付記６］
前記位置情報は、前記１または複数の置換ブロックの座標情報を備える、付記１に記載の装置。
［付記７］
前記刈り込みブロック識別子（６１０）は、前記ピクチャの前記刈り込まれたバージョン内の前記１または複数の刈り込まれたブロックを識別する識別プロセスを実行し、前記１または複数の刈り込まれたブロックのうちの所定の１つは、指定された周波数よりも大きい前記１または複数の刈り込まれたブロックのうちの前記所定の１つの単一コンポーネントのエネルギー量に基づいて、前記識別プロセスによって識別される、付記１に記載の装置。
［付記８］
前記メタデータは、前記識別プロセスに関する誤検出ブロックおよび欠損ブロックの位置情報も含む、付記７に記載の装置。
［付記９］
前記メタデータが前記ピクチャの前記刈り込まれたバージョンを回復する際の使用から省略されたとき、修復及びテクスチャ合成のうちの少なくとも１を使用して、前記ピクチャの前記刈り込まれたバージョンを回復する、付記１に記載の装置。
［付記１０］
ピクチャの刈り込まれたバージョンをビデオシーケンスによって回復するための方法であって、
前記ピクチャの前記刈り込まれたバージョン内の１または複数の刈り込まれたブロックを識別する（６１０）ステップと、
復号器を使用して、前記ピクチャの前記刈り込まれたバージョンを回復するメタデータを復号化する（１１００）ステップであって、前記メタデータは、前記１または複数の置換ブロックの位置情報を含む、ステップと、
前記１または複数の刈り込まれたブロックに対して１または複数の置換ブロックをそれぞれ生成する（７２５）ステップと
を備える、方法。
［付記１１］
前記ピクチャの前記刈り込まれたバージョンは、前記ピクチャの前記元バージョンを複数のブロックに分割し（７１０）、前記１または複数の刈り込まれたブロックを前記１または複数の置換ブロックにそれぞれ置き換える（７２５）ことよって生成され、前記１または複数の刈り込まれたブロックのうちの少なくとも所定の１つ内のすべてのピクセルは、同じ色値または低い解像度の色値のうちの１つを有し、前記低い解像度の色値は、前記１または複数の置換ブロックに関して判定される、付記１０に記載の方法。
［付記１２］
前記同じ色値は、前記複数のブロックのうちの前記少なくとも１つ内の前記ピクセルの色の平均値と等しい、付記１１に記載の方法。
［付記１３］
前記ピクチャの前記刈り込まれたバージョンは、混合解像度ピクチャ（８００）である、付記１１に記載の方法。
［付記１４］
前記１または複数の刈り込まれたブロックは、前記１または複数の置換ブロック（９００）のそれぞれよりも、指定された周波数以上の少ない情報を備える、付記１１に記載の方法。
［付記１５］
前記位置情報は、前記１または複数の置換ブロックの座標情報を備える、付記１０に記載の方法。
［付記１６］
前記識別するステップは、前記ピクチャの前記刈り込まれたバージョン内の前記１または複数の刈り込まれたブロックを識別する識別プロセスを実行し、前記１または複数の刈り込まれたブロックのうちの所定の１つは、指定された周波数よりも大きい前記１または複数の刈り込まれたブロックのうちの前記所定の１つの単一コンポーネントのエネルギー量に基づいて、前記識別プロセスによって識別される、付記１０に記載の方法。
［付記１７］
前記メタデータは、前記識別プロセス（１１３５）に関する誤検出ブロックおよび欠損ブロックの位置情報も含む、付記１６に記載の方法。
［付記１８］
前記メタデータが前記ピクチャの前記刈り込まれたバージョンを回復する際の使用から省略された場合、修復及びテクスチャ合成のうちの少なくとも１を使用して、前記ピクチャの前記刈り込まれたバージョンを回復することを特徴とする付記１０に記載の方法。
［付記１９］
ピクチャの刈り込まれたバージョンをビデオシーケンスによって回復するための装置であって、
前記ピクチャの前記刈り込まれたバージョン内の１または複数の刈り込まれたブロックを識別するための手段（６１０）と、
前記ピクチャの前記刈り込まれたバージョンを回復するメタデータを復号化するための手段（６１５）であって、前記メタデータは、前記１または複数の置換ブロックの位置情報を含む、手段と、
前記１または複数の刈り込まれたブロックに対して１または複数の置換ブロックをそれぞれ生成するための手段（６２０）と
を備える、装置。
［付記２０］
前記ピクチャの前記刈り込まれたバージョンは、前記ピクチャの前記元バージョンを複数のブロックに分割し、前記１または複数の刈り込まれたブロックを前記１または複数の置換ブロックにそれぞれ置き換えることによって生成され、前記１または複数の刈り込まれたブロックのうちの少なくとも所定の１つにおけるすべてのピクセルは、同じ色値または低い解像度の色値のうちの１つを有し、前記低い解像度の色値は、前記１または複数の置換ブロックに関して判定される、付記１９に記載の装置。
［付記２１］
前記同じ色値は、前記複数のブロックのうちの前記少なくとも１つ内の前記ピクセルの色の平均値と等しい、付記２０に記載の装置。
［付記２２］
前記ピクチャの前記刈り込まれたバージョンは、混合解像度ピクチャである、付記２０に記載の装置。
［付記２３］
前記１または複数の刈り込まれたブロックは、前記１または複数の置換ブロックのそれぞれよりも、指定された周波数以上の少ない情報を備える、付記２０に記載の装置。
［付記２４］
前記位置情報は、前記１または複数の置換ブロックの座標情報を備える、付記１９に記載の装置。
［付記２５］
前記識別するための手段（６１０）は、前記ピクチャの前記刈り込まれたバージョン内の前記１または複数の刈り込まれたブロックを識別する識別プロセスを実行し、前記１または複数の刈り込まれたブロックのうちの所定の１つは、指定された周波数よりも大きい前記１または複数の刈り込まれたブロックのうちの前記所定の１つの単一コンポーネントのエネルギー量に基づいて、前記識別プロセスによって識別される、付記１９に記載の装置。
［付記２６］
前記メタデータは、前記識別プロセスに関する誤検出ブロックおよび欠損ブロックの位置情報も含む、付記２５に記載の装置。
［付記２７］
前記メタデータが前記ピクチャの前記刈り込まれたバージョンを回復する際の使用から省略された場合、修復及びテクスチャ合成のうちの少なくとも１を使用して、前記ピクチャの前記刈り込まれたバージョンを回復する、付記１９に記載の装置。